(57)【要約】      （修正有）【課題】広告板被覆部が雨水で汚れにくい広告ボード用カバーを提供する。【解決手段】広告ボード用カバー１は、一対の広告板１１が側面視で逆Ｖ字に立設される広告ボード１０用に用いられ、広告ボード１０の広告板１１を被覆する一対の広告板被覆部２，２と、一対の広告板被覆部２，２の間に設けられ、広告ボード１０の上端部を上端被覆部３と、広告ボード１０の側方を被覆する一対の側方被覆部４，４と、を備える。さらに、上端被覆部３は、前後方向に垂直な方向に延びるとともに両端が側方へ開口する溝を形成するよう設けられている。【選択図】図２
0003177326.tif 000002
【実用新案登録請求の範囲】
【請求項１】
前後一対の広告板が側面視で逆Ｖ字に立設される広告ボード用のカバーであって、
前記広告ボードの前記広告板を被覆する一対の広告板被覆部と、
前記一対の広告板被覆部の間に設けられ前記広告ボードの上端部を被覆する上端被覆部と、
前記広告ボードの側方を被覆する一対の側方被覆部と、
を備え、
前記上端被覆部は、前後方向に垂直な方向に延びるとともに両端が側方へ開口する溝を形成するよう設けられていることを特徴とする広告ボード用カバー。
【請求項２】
前記溝がＶ字溝である請求項１に記載の広告ボード用カバー。
【請求項３】
前記広告板被覆部は、前記広告ボードに装着した際に略鉛直となる鉛直部を前記上端被覆部に隣接する部分に備える請求項１又は請求項２に記載の広告ボード用カバー。
【考案の詳細な説明】
【技術分野】
【０００１】
この考案は、店先の路上等に設置する広告ボードに装着して、広告ボードが雨や埃で汚れることや、マーカー等で書いた文字が消えることを防止する広告ボード用カバーに関する。
【背景技術】
【０００２】
従来、商店や飲食店等の店頭に設置されるいわゆるＡ型の広告ボードは、屋外に設置するものでありながら、ホワイトボードや黒板等に広告内容を記載して掲示するため雨や埃に弱いという欠点があった。
【０００３】
そこで、Ａ型の広告ボードを風雨から保護するカバー部材が提案されている（例えば、特許文献１参照）。特許文献１の広告ボード用カバー部材３０は、図５に示すように、一対の板部材を連結した上端部の形状に合わせて、カバー上部に板部材２枚分の幅を有する長方形の面３１が設けられるとともに広告ボード１０の側方を保護する面３２が台形に形成され、全体形状が略四角柱状に形成されている。
【先行技術文献】
【特許文献】
【０００４】
【特許文献１】実用新案登録３１５１５８８号公報
【考案の概要】
【考案が解決しようとする課題】
【０００５】
しかし、特許文献１の広告ボードのカバー部材３０は、カバー上部面に溜まった雨粒が広告側の面に流れ落ちてくるため、広告側の面に雨だれの通った跡が残ってカバー内の広告が見えにくくなるというという問題が有った。
【０００６】
本考案は、上記課題に鑑みてなされたものであり、カバー上面部に降り落ちた雨粒が、カバーの広告側面に流れ落ちることの抑制を目的とする。
【課題を解決するための手段】
【０００７】
上記課題を解決するためになされた考案は、前後一対の広告板が側面視で逆Ｖ字に立設される広告ボード用のカバーであって、前記広告ボードの前記広告板を被覆する一対の広告板被覆部と、前記一対の広告板被覆部の間に設けられ前記広告ボードの上端部を被覆する上端被覆部と、前記広告ボードの側方を被覆する一対の側方被覆部と、を備え、前記上端被覆部は、前後方向に垂直な方向に延びるとともに両端が側方へ開口する溝を形成するよう設けられていることを特徴とする。
【０００８】
このように、上端被覆部が前後方向に垂直な方向に延びるとともに両端が側方へ開口する溝を形成するよう設けられているため、広告ボードの上部に降り落ちた雨水を広告ボードの側方へ流し落とすことができる。
【０００９】
本考案の広告ボード用カバーは、前記溝がＶ字溝であることが好ましい。こうすることで、当該広告ボード用カバーを折り畳みやすくすることができる。
【００１０】
前記広告板被覆部は、前記広告ボードに装着した際に略鉛直となる鉛直部を前記上端被覆部に隣接する部分に備えることが好ましい。こうすることで、前後一対の広告板の広がり具合の小さい広告ボードにも本考案の広告ボード用カバーを用いることができる。
尚、ここで、鉛直とは、広告用ボードを設置する設置面にたいして略垂直であることをいう。
【考案の効果】
【００１１】
以上説明したように、本考案の広告ボード用カバーによれば、雨水が広告板被覆部に流れ落ちにくいため、広告板被覆部が汚れて広告が見えにくくなることを効果的に抑制できる。
【図面の簡単な説明】
【００１２】
【図１】本考案の第１実施形態に係る広告ボード用カバーを示す斜視図である。
【図２】図１の広告ボード用カバーの使用状態を示す（ａ）斜視図、及び（ｂ）側面図である。
【図３】本考案の第２実施形態に係る広告ボード用カバーを示す斜視図である。
【図４】図３の広告ボード用カバーの使用状態を示す（ａ）斜視図、及び（ｂ）側面図である。
【図５】従来の広告ボード用カバーの使用状態を示す（ａ）斜視図、及び（ｂ）側面図である。
【考案を実施するための形態】
【００１３】
以下、適宜図面を用いて、本考案の広告ボード用カバーの実施形態について詳述する。ただし、本考案の広告ボード用カバーは以下の実施形態に限られるものではない。
【００１４】
（第１実施形態）
図１は、本考案の第１実施形態に係る広告ボード用カバー１である。広告ボード用カバー１は、図２に示すように、商店やレストラン等の店先に立設されるいわゆるＡ型の広告ボード１０に装着され、雨や埃で広告ボード１０に記載した絵や文字が汚れたり消失したりすることを防止する。
尚、以下の説明において、図２（ｂ）及び図４（ｂ）の左右方向、上下方向及び奥行き方向をそれぞれ広告ボード用カバー１，２０及び広告ボード１０の前後方向、上下方向及び左右方向とする。
【００１５】
広告ボード１０は、図２に示すように、前後一対の広告板１１，１１を備えている。広告板１１は、矩形の黒板１２と、黒板１２の上下の横辺を補強する角棒状の上枠１３及び下枠１４と、黒板１２の左右の縦辺を補強するとともに下方へ延出した部分が広告ボード１１の支持脚をなす左右一対の角棒状の縦枠１５，１５とを備えている。前後一対の広告ボード１１，１１は、前後の上枠１３，１３の内側の上端辺を重ねた状態で、蝶番（図示せず）により開閉自在に連結されている。広告ボード１０は、前後一対の広告板１１，１１の下側を開いて側面視で逆Ｖ字となるよう立設される。
【００１６】
広告ボード用カバー１は、ポリ塩化ビニル製のシートを裁断・溶着して形成される。広告ボード用カバー１は、図１、図２に示すように、広告板１１を被覆する一対の広告板被覆部２，２と、一対の広告板被覆部２，２の間に設けられ、広告ボード１０の上端部を被覆する上端被覆部３と、広告ボード１０の左右の側方を被覆する一対の側方被覆部４，４、とを主に備える他、４本の固定紐５，５，…と、固定紐５を通す上下８個ずつ２段で１６個のハトメ６，６，…とを備え、下方に矩形の開口部８が形成されている。
尚、本考案の広告ボード用カバーの素材としては、ポリ塩化ビニルに限らず、透明又は半透明の柔軟性を有するシート材であれば、公知の樹脂製シートを適宜用いることができる。
【００１７】
広告板被覆部２は、図１に示すように、上下に長い矩形に形成され、下端から５分の１程度の位置に水平方向に延びる切断線７が設けられている。広告板被覆部２には、下側の両角部及び切断線７の上側の両端部に、片面で計４つのアルミ製ハトメ６が貫設されている。
【００１８】
上端被覆部３は、図１及び図２（ｂ）に示すように、前後方向の略中央で折り曲げられて上面側にＶ字溝が形成されている。
【００１９】
側方被覆部４は、図２（ｂ）に示すように、上端部が上端被覆部３の側面視形状に合わせてＶ字状に切欠かれて全体として凹五角形をなしている。側方被覆部４には、広告板被覆部２の切断線７に連続して切断線７が設けられている。また、側方被覆部４の下端部両端及び切断線７の上側両端部には、ハトメ６が片側で４個、両側で８個貫設されている。
【００２０】
固定紐５は、本実施形態ではナイロン製等の撚紐からなり、図２に示すように、隣接する広告板被覆面２のハトメ６と側方被覆面４のハトメ６とに通して用いられる。
【００２１】
次に、本実施形態の広告ボード用カバー１の使用方法及び作用効果について説明する。
広告ボード用カバー１を使用する場合には、図２に示すように、逆Ｖ字状に開いて路面等に載置された広告ボード１０の上端部を広告ボードカバー１の開口部８を通すようにして、広告ボード１０に広告ボードカバー１を被せる。そして、固定紐５を縦枠１５に縛り付けて、広告ボード用カバー１を広告ボード１０に固定する。
【００２２】
広告ボード１１が上下に短い場合には、広告ボード用カバー１の下部を切断線７に沿って切断して切断線７の上側のキャップ状部分を用いる。
【００２３】
広告ボード用カバー１を装着した状態で屋外に載置した広告ボード１０に雨が降ると、上端被覆部３に降り落ちた雨水がＶ字の溝に沿って側方へ流れ、溝両端の開口から側方へ流れ落ちる。これにより、広告板被覆面２に雨水の流れ落ちる跡が残りにくいため、黒板１２に記載された絵や文字が見えにくくなることを効果的に抑制することができる。
また、広告ボード用カバー１は、上端被覆部３がＶ字溝に形成されているため、収納する際に、折り畳みやすい。
【００２４】
（第２実施形態）
図３は、本考案の第２実施形態に係る広告ボード用カバー２０である。広告ボード用カバー２０は、第１実施形態の広告ボード用カバー１と同様に、Ａ型の広告ボード１０に用いられ、広告ボード１０の広告板１１を被覆する一対の広告板被覆部２２と、一対の広告板被覆部２２の間に設けられ、広告ボードの上端部を被覆する上端被覆部２３と、広告ボード１０の側方を被覆する一対の側方被覆部２４，２４とを備えている。
尚、第２実施形態の広告ボード用カバー２０において、第１実施形態の広告ボード用カバー１０と共通する部材については同一符号を付して説明を省略する。
【００２５】
広告板被覆部２２は、広告ボード１０に装着した際に、略鉛直となる鉛直部２２ａを上側に、広告板１１に沿って傾斜する傾斜部２２ｂを下側に有しており、側方被覆部２４は、前後一対の鉛直部２２ａ，２２ａに挟まれた突出部２４ａと、下側程広がる末広がり部２４ｂとからなる。これにより、前後の広告板１１，１１間の角度が小さい広告ボード１０に装着した場合も、広告板被覆部２２が広告板１１に密着するようにすることができる。
【００２６】
本考案の広告ボード用カバーは、上記の実施形態に限られるものではなく、上端面に形成される溝は、Ｖ字に限らずＵ字や半円状その他の公知の断面形状を有する溝とすることができる。切断線は複数本設けることもできる。固定紐の代わりに面ファスナー等を用いてもよい。
【産業上の利用可能性】
【００２７】
本考案の広告ボード用カバーは、黒板やホワイトボード、コルクボード等からなる一対の広告板を逆Ｖ字状に開いて店頭等に立設される各種のＡ型広告ボードに好適に採用することができる。
【符号の説明】
【００２８】
１，２０  広告ボード用カバー
２，２２  広告板被覆部
３，２３  上端被覆部
４，２４  側方被覆部
２２ａ  鉛直部
【図１】
0003177326.tif 000003
【図２】
0003177326.tif 000004
【図３】
0003177326.tif 000005
【図４】
0003177326.tif 000006
【図５】
0003177326.tif 000007